(57)【要約】【課題】本発明は、放熱体の下流側に位置する冷却対象に対しても十分な冷却風を送ることが可能な冷却装置を提供する。【解決手段】排気口を備えた送風部と、複数の放熱フィンを備えた放熱体とを有する冷却装置であって、放熱体の複数の放熱フィンは、少なくとも第１放熱領域と第２放熱領域とを有し、第１放熱領域に配置された放熱フィンは、第２放熱領域に配置された放熱フィンよりも表面積が広いこと、送風部の排気口は、冷却風を排気する第１排気領域と、当該第１排気領域より多量の冷却風を排気する第２排気領域とを有し、第１排気領域には、放熱フィンの第１放熱領域が配置され、第２排気領域には、放熱フィンの第２放熱領域が配置されること。【選択図】図１０
2016046471.tif 000002
【特許請求の範囲】
【請求項１】
排気口を備えた送風部と、複数の放熱フィンを備えた放熱体とを有する冷却装置であって、
前記放熱体の複数の放熱フィンは、少なくとも第１放熱領域と第２放熱領域とを有し、
前記第１放熱領域に配置された放熱フィンは、前記第２放熱領域に配置された放熱フィンよりも表面積が広いこと、
前記送風部の排気口は、冷却風を排気する第１排気領域と、当該第１排気領域より多量の冷却風を排気する第２排気領域とを有し、
前記第１排気領域には、前記放熱フィンの前記第１放熱領域が配置され、前記第２排気領域には、前記放熱フィンの前記第２放熱領域が配置されていること、
を特徴とする冷却装置。
【請求項２】
前記第２放熱領域に配置された前記放熱フィンのピッチは、前記第１放熱領域に配置された前記放熱フィンのピッチより広いことを特徴とする請求項１に記載した冷却装置。
【請求項３】
前記第２放熱領域に配置された前記放熱フィンの長さは、前記第１放熱領域に配置された前記放熱フィンの長さより短いことを特徴とする請求項１に記載した冷却装置。
【請求項４】
前記第２放熱領域に配置された前記放熱フィンは、縦断面が下方に向かって狭窄する形状に形成されていることを特徴とする請求項１に記載した冷却装置。
【請求項５】
前記第２放熱領域に配置された前記放熱フィンの高さは、前記第１放熱領域の前記放熱フィンの高さより低いことを特徴とする請求項１に記載した冷却装置。
【請求項６】
複数の放熱フィンを有し、第１冷却対象と接触することで放熱を行う放熱体と、当該放熱体に対して冷却風を送風する排気口を有する送風部とを備える冷却構造であって、
前記放熱体の複数の放熱フィンは、少なくとも第１放熱領域と第２放熱領域とを有し、
前記第１放熱領域に配置された放熱フィンは、前記第２放熱領域に配置された放熱フィンよりも表面積が広いこと、
前記送風部の排気口は、冷却風を排気する第１排気領域と、当該第１排気領域より多量の冷却風を排気する第２排気領域とを有し、
前記第１排気領域には、前記放熱フィンの前記第１放熱領域が配置され、前記第２排気領域には、前記放熱フィンの前記第２放熱領域が配置されること、
前記第２放熱領域よりも下流側には、前記第１冷却対象と異なる第２冷却対象が配置され、前記第２排気領域を通過した前記冷却風が前記第２冷却対象へ送風されること、
を特徴とする冷却構造。
【請求項７】
前記放熱フィンの前記第１放熱領域は、前記送風部の前記第１排気領域から送風された前記冷却風により、前記放熱体と接触された前記第１冷却対象を冷却することを特徴とする請求項６に記載した冷却構造。
【請求項８】
前記第２冷却対象の内部へ前記冷却風を流入させる、送風機を有するダクト手段を有し、
前記第１放熱領域を通過した前記冷却風を、前記ダクト手段へ誘導する誘導手段を更に有することを特徴とする請求項７に記載した冷却構造。
【請求項９】
請求項１〜５の何れか一項に記載した冷却装置、及び請求項６〜８の何れか一項に記載した冷却構造と、画像を表示するための画像表示素子と、前記画像表示素子に表示された前記画像を投射するための投射光学部とを備えたことを特徴とする画像投射装置。
【請求項１０】
冷却対象と、当該冷却対象を冷却する冷却装置とを備える電子機器において、請求項１〜５の何れか一項に記載した冷却装置、及び請求項６〜８の何れか一項に記載した冷却構造とを備えた電子機器。
【発明の詳細な説明】
【技術分野】
【０００１】
本発明は、冷却装置、冷却構造、画像投射装置、電子機器に関する。
【背景技術】
【０００２】
従来から、発熱源を冷却する冷却装置として、発熱源に複数の放熱フィンを有する放熱体を押し付けて放熱面積を拡大させ、ファンから排気された空気（冷却風）を直接放熱フィンに吹き付けて冷却する構成が既に知られている。
【０００３】
こうした冷却装置として、例えば放熱フィンを有する放熱体が、複数の排気口を有するファンの当該排気口内にそれぞれ内在され、各放熱体の放熱フィンは、ファンから吐出される冷却風の風速分布に合わせてフィンの長さやピッチを変動させる構成が開示されている（例えば、特許文献１参照）。
【発明の概要】
【発明が解決しようとする課題】
【０００４】
上記特許文献１の冷却装置の放熱フィンは、ファンから吐出される冷却風の風速分布において、風速の速い箇所は放熱体の表面積を拡大し、風速が減少する箇所はその減少率に合わせて表面積を小さくしている。すると、どのフィンを通過する冷却風も風速（又は風量）が均一になり、同じ冷却能力を有することになる。因みに、フィンから吐出された冷却風は、距離が遠くなるほど風速が減速する特性を有している。
【０００５】
したがって、特許文献１の冷却装置は、ファンから近い位置にある放熱体には十分な冷却風を送ることができるが、放熱体から遠い下流側に位置する他の冷却対象には、十分な冷却風を送ることができない。そのため、１つのファンで放熱体を含む他の冷却対象を同時に冷却することが難しいという問題点がある。
【０００６】
そこで、本発明は上記従来技術の問題に鑑みて、放熱体の下流側に位置する冷却対象に対しても十分な冷却風を送ることが可能な冷却装置を提供することにある。
【課題を解決するための手段】
【０００７】
上記課題に鑑み、本発明の冷却装置の一つの実施形態において、
排気口を備えた送風部と、複数の放熱フィンを備えた放熱体とを有する冷却装置であって、
前記放熱体の複数の放熱フィンは、少なくとも第１放熱領域と第２放熱領域とを有し、
前記第１放熱領域に配置された放熱フィンは、前記第２放熱領域に配置された放熱フィンよりも表面積が広いこと、
前記送風部の排気口は、冷却風を排気する第１排気領域と、当該第１排気領域より多量の冷却風を排気する第２排気領域とを有し、
前記第１排気領域には、前記放熱フィンの前記第１放熱領域が配置され、前記第２排気領域には、前記放熱フィンの前記第２放熱領域が配置されていること、
を特徴とする。
【発明の効果】
【０００８】
本発明によれば、放熱体の下流側に位置する冷却対象に対しても十分な冷却風を送ることが可能な冷却装置を提供できる。
【図面の簡単な説明】
【０００９】
【図１】本発明に係る画像投射装置の使用態様を示す斜視図である。
【図２】（ａ）は図１の正面側から見た画像投射装置の内部構造を示す斜視図である。（ｂ）は図１の背面側からみた画像投射装置の内部構造を示す斜視図である。
【図３】光学エンジンと光源装置との関係を示す斜視図である。
【図４】光学エンジンの概略構成を示す斜視図である。
【図５】照明光学部と画像処理部の概略構成と光路を説明する説明図である。
【図６】画像処理部の概略構成を示す斜視図である。
【図７】投射光学部の構成の一部を示す斜視図である。
【図８】投射光学部の構成を示す斜視図である。
【図９】投射光学部の光路を説明するための説明図である。
【図１０】第１の実施形態に係る冷却装置の構成を示す斜視図である。
【図１１】シロッコファンの構成を示す斜視図である。
【図１２】図１０に示した冷却装置の底面図である。
【図１３】第１の実施形態に係る冷却装置を備えた冷却構造の一例を示す全体斜視図である。
【図１４】ダクトを設けた冷却構造の一例を示す全体斜視図である。
【図１５】図１４に示した冷却構造の底面図である。
【図１６】第２の実施形態に係る冷却装置の構成を示す斜視図である。
【図１７】図１６に示した冷却装置の底面図である。
【図１８】第２の実施形態に係る冷却装置を備えた冷却構造の一例を示す底面図である。
【図１９】第３の実施形態に係る冷却装置の構成を示す斜視図である。
【図２０】図１９に示した冷却構造の底面図である。
【図２１】第２放熱領域に配置されたフィンの形状を模式的に示す側面図である。
【図２２】第３の実施形態に係る冷却装置を備えた冷却構造の一例を示す底面図である。
【図２３】第４の実施形態に係る冷却装置の構成を示す斜視図である。
【図２４】図２３に示した冷却装置を冷却風の流通方向に対して正面に見た正面図である。
【図２５】第４の実施形態に係る冷却装置を備えた冷却構造の一例を示す底面図である。
【図２６】第６の実施形態に係る冷却構造の一例を示す上方斜視図である。
【図２７】図２６に示した冷却構造を他の角度から見た上方斜視図である。
【図２８】図２６、図２７に示した冷却構造の底面図である。
【図２９】第６の実施形態に係る冷却構造の光源装置へ流入させる冷却風の流通経路を説明する一部断面透過図である。
【図３０】第１の実施形態に係る冷却装置の変形例を示す全体斜視図である。
【発明を実施するための形態】
【００１０】
次に、本発明に係る冷却装置、冷却構造、画像投射装置及び電子機器の実施形態を説明する。各図面中、同一又は相当する部分には同一の符号を付しており、その重複説明は適宜簡略化ないし省略する。図面は、部材もしくは部品間の相対比を示すことを目的としない。したがって、具体的な寸法は、以下の限定的でない実施形態に照らし、当業者により決定することができる。
【００１１】
以下、本発明に係る冷却装置は、画像投射装置に搭載されることが最良である。したがって、以下、先ず画像投射装置の全体構成を説明した後、冷却装置及び冷却構造の構成を具体的に説明するものとする。
【００１２】
＜画像投射装置＞
図１〜図２は、本発明に係る画像投射装置１の概略構成の一例を示している。図１は画像投射装置１の概略構成を示す投射時の斜視図である。図２は画像投射装置１の外装カバー３を外した状態を示した内部構成図であり、（ａ）は、図１の正面側Ｆから見た斜視図であり、（ｂ）は図１の背面側Ｂから見た斜視図である。
【００１３】
画像投射装置１は、パソコンやビデオカメラ等から入力される映像データを基に映像を生成し、その映像を被投射面であるスクリーン２などに投影表示する装置である。図示した画像投射装置１は、ＤＭＤ（Digital  Micro-mirror  Device）を利用した小型軽量型のフロントタイプのプロジェクタである。また、縦置き型であるがこの限りではない。
【００１４】
画像投射装置１は、内部構造が外装カバー３内に搭載されるものであり、外装カバー３の上面部には操作部４、投射口５、右側面には吸気口６及びコネクタ部７、左側面には排気口、正面にはピント調節部８などが設けられている。
【００１５】
画像投射装置１は、図２に示すように、基本構成として大きく分けて光源装置２０と光学エンジン３０、冷却装置５０を備えている。その他、通常プロジェクタに搭載されている各構造が同様に搭載されており、ここで詳しく説明することは省略する。
【００１６】
次に、光源装置２０、光学エンジン３０及び冷却装置５０について図面に基づいて説明する。図３には、画像投射装置１から光源装置２０と光学エンジン３０、及び冷却装置５０を取り出した状態を示した。図４には画像投射装置１から光学エンジン３０と冷却装置５０のみを取り出した状態を示した。
【００１７】
冷却装置５０は、本発明の特徴となる部分であるため詳細は後述するが、点線で示したシロッコファン６０（送風部に相当）と組み合わされて構成される。
光源装置２０は、例えば高圧水銀ランプなどの光源を制御して、画像の投射に必要な光（白色光）を光学エンジン部３０へ供給する。
【００１８】
光源装置２０は、ハロゲンランプ、メタルハライドランプ、高圧水銀ランプなどの光源２１ａ、リフレクタ２１ｂ、シール部２１ｃなどを有している。
【００１９】
また、光源装置２０は、光源２１ａの光出射側であってリフレクタ２１ｂの上端部などを保持する光源用ハウジング２２がネジ止めされている。光源用ハウジング２２の光源２１ａが配置された側と反対側の面には、出射窓２３（図４参照）が設けられている。光源２１ａから出射した光は、光源用ハウジング２２に保持されたリフレクタ２１ｂにより出射窓２３に集光され、出射窓２３から出射する。
【００２０】
また、光源用ハウジング２２の側面には、光源２１ａを冷却するための空気が流入する光源吸気口２２ａと、光源２１ａの熱により加熱された空気が排気される光源排気口２２ｂが設けられている。
【００２１】
光学エンジン部３０は、光源装置２０から供給された光を用いて、入力された画像データを処理して投射する制御を行う。図４は、光学エンジン部３０の詳細な構成を示す斜視図である。光学エンジン部３０は、照明光学部３１、投射光学部３３、及び画像処理部３２を備えている。上述した光源装置２０からの白色光は、まず照明光学部３１に照射される。照明光学部３１は、光源装置２０からの白色光をＲＧＢのそれぞれの成分へと分光し、画像処理部３２へと導光する。画像処理部３２は、変調信号に応じて画像形成を行い、入力された画像データから投影する画像を生成する。投射光学部３３は、画像処理部３２で生成された画像を被照射面に拡大投射する。
【００２２】
図５は、照明光学部３１と画像処理部３２の配置構成と光路を示す図である。
照明光学部３１は、カラーホイル３８、ライトトンネル３７、リレーレンズ３６、シリンダミラー３５、凹面ミラー３４を備えている。カラーホイル３８は、円盤状のカラーフィルタにより上記光源装置２０から出射した白色光を単位時間毎にＲＧＢの各色が繰り返す光に変換して出射する。
【００２３】
ライトトンネル３７は、板ガラスを張り合わせて筒状に構成されており、カラーホイル３８から出射する光を導く。リレーレンズ３６は、２枚のレンズを組み合わせて構成されており、ライトトンネル３７より出射される光の軸上色収差を補正しつつ集光する。
【００２４】
シリンダミラー３５、および凹面ミラー３４は、リレーレンズ３６より出射される光をそれぞれ反射する。反射された光は、画像処理部３２へと入光され、画像処理部３２は、複数のマイクロミラーからなる略矩形のミラー面を有し、映像や画像のデータに基づいて各マイクロミラーが時分割駆動されることにより、所定の映像を形成するように投射光を加工して反射するＤＭＤ素子４１を備えている。そして、画像処理部３２において、ＤＭＤ素子４１（第１冷却対象）により時分割された映像データに基づいて、複数のマイクロミラーが使用する光は、図中で矢印Ｂで示される投射レンズ５１の方向へ反射させ、捨てる光は矢印Ｃで示されるＯＦＦ光板５３へと反射させる。
【００２５】
図６は、画像処理部３２の構成を示す斜視図である。画像処理部３２はＤＭＤ素子４１とＤＭＤ素子４１を制御するＤＭＤプリント基板４２とＤＭＤ素子４１を冷却するヒートシンク４３と、ヒートシンク４３をＤＭＤ素子４１に押し付ける固定板４４とを備える。本実施形態において、ヒートシンク４３が放熱体に相当する。ヒートシンク４３は、第１冷却対象のＤＭＤ素子４１と接触することで、ＤＭＤ素子４１の熱を放熱する。
【００２６】
また、図７、図８は、投射光学部３３の構成を示す斜視図である。画像処理部３２を通過した光は図７の投射レンズ５１へ反射され、捨てられる光はＯＦＦ光板５３へと反射される。
【００２７】
図９は、投射光学部３３における光路を説明する側面図である。投射レンズ５１を通過し、拡大された映像光は折り返しミラー５４によって光路が折り返され、自由曲面ミラー５５によってスクリーン２上へ拡大投影される。以上の構成によって、画像投射装置１は光学エンジン部３０をスクリーン２に近接して配置でき、光軸路が垂直方向となる縦型にして設置面積を小さくできる。
【００２８】
［第１の実施形態］
＜冷却装置＞
次に、本発明に係る冷却装置５０を図面に基づいて説明する
図１０は、冷却装置５０の全体構成を示す斜視図である。冷却装置５０は端的に云うと、図６に示したヒートシンク４３（放熱体に相当）と、その内部（装置の底面側）に設けられたシロッコファン６０を組み合わせて構成される。
【００２９】
このヒートシンク４３が、例えば画像投射装置１へ搭載された場合、画像処理部３２のＤＭＤ素子４１（第１冷却対象）と、ヒートシンク４３の下流側に位置する光源装置２０（第２冷却対象）の２つの冷却対象を冷却するための冷却構造を実現する。
【００３０】
上記したヒートシンク４３には、垂直方向に延びる複数のフィン４５（放熱フィンに相当）が並設され、シロッコファン６０からの冷却風がフィン４５へ直接吹き付けられることで冷却対象を冷却する構成である。
【００３１】
因みに、図示したフィン４５は、ヒートシンク４３の短手方向に対して直交する向きで、所定のピッチを空けて並設されており、各ピッチ間の隙間が冷却風の流路を形成する構成である。そして、フィン４５は、表面積の広い（大きい）第１放熱領域４５ａと、第１放熱領域４５ａよりも表面積が狭い（小さい）第２放熱領域４５ｂを有している。以下、第１放熱領域４５ａに配置されるフィンを４５１、第２放熱領域４５ｂに配置されるフィンを４５２と表記する。
【００３２】
本実施形態は第１放熱領域４５ａに配置されたフィン４５１と、第２放熱領域４５ｂに配置されたフィン４５２のフィンピッチを異ならせることで、それぞれの領域におけるフィンの表面積を変化させている。フィンピッチと各領域については後述する。
【００３３】
本実施形態では、ヒートシンク４３の一部に段差を設けてその段差部４６内にシロッコファン６０を収納し、シロッコファン６０とヒートシンク４３とが一体的に接続されて冷却装置５０を構成している。したがって、冷却装置５０の外形は、略直方体形状となり、他の周辺部品への設計変形の必要性を最小限に止めている。
【００３４】
また、ヒートシンク４３の上面の端辺は直線状に揃っており、図示例のヒートシンク４３の上面形状は矩形に形成されている。勿論、隅部にはＲ加工が施されていても良い。本発明は、特に図示例においてヒートシンクの上面の右側端辺が揃っている。右側端辺は、例えば光源装置２０などの他の周辺装置（周辺部品）と連結される辺であり、この辺に段部などが形成されると、周辺装置との接続部品に設計変形を行う必要が生じてしまう。したがって、ヒートシンク４３の上面の連結側端辺を直線状に揃えることで、周辺部品の設計変更を無くすことができる。
【００３５】
シロッコファン６０は、ヒートシンク４３に対して、外気を取り込み送風する送風部に相当する。シロッコファン６０は、多数の小型の前向き羽根をもった筒と整風器をくみ合わせた構造であり、静圧効率が６０％程度の一般的なものが用いられる。
【００３６】
また、シロッコファン６０は、図１１に示すように第１吸気口７１、第２吸気口７２、及び排気口７３を有している。第２吸気口７２は、第１吸気口７１の反対面側に設けられており、シロッコファン６０は、両面吸い込み式のファンとなっている。すなわち、本実施形態では、第１吸気口７１は、シロッコファン６０の上面側、第２吸気口７２はシロッコファン６０の底面側に設けられている。また、本構成では、排気口７３が幅広、すなわち厚みよりも横幅のほうが大きいシロッコファン６０を使用しているが、これは冷却効率をさらに高めるためである。
【００３７】
排気口７３が幅広なシロッコファン６０の方が、冷却風を排気させる面積を大きくすることが可能となり、冷却風とヒートシンク４３との接触面積を大きくすることができる。そして、冷却風とヒートシンク４３との接触表面積を拡大させることにより冷却効率を向上できる。
【００３８】
また、シロッコファン６０は、生じた冷却風を右回転流れにより排気口７３へ導風する構成であるため、矢印Ｐで示した端部側に風速の速い流れが集中する。したがって、排気される冷却風の風速は、排気口７３の幅方向（長手方向）に対して均一ではなく、風速の速い箇所と風速の遅い箇所が存在する。そのため、図示において右寄り箇所の風速は速く、それ以外の箇所の風速は遅くなる。したがって、幅広な排気口７３は、所定の第１流量の冷却風が流れて流量が少ない第１排気領域７３ａと、第１流量よりも多い第２流量で空気が流れる第２排気領域７３ｂと、に区分できる。
【００３９】
因みに、上記第１排気領域７３ａとフィン４５の第１放熱領域４５ａ、及び第２排気領域７３ｂとフィン４５の第２放熱領域４５ｂとは、それぞれの位置関係が対応する構成とされている。
【００４０】
図１２は、シロッコファン６０を備えた冷却装置５０を底面側から見た図である。
図１２に示すように、第１排気領域７３ａには、第１放熱領域４５ａのフィン４５１が配置されている。第２排気領域７３ｂには、第２放熱領域４５ｂのフィン４５２が配置されている。そして、図示のようにフィン４５１、４５２は、排気口７３の外側であって、当該排気口７３と対向する位置に配置されている。
【００４１】
そして、流量の多い第２排気領域７３ｂに配置された複数のフィン４５２は、それぞれのフィンピッチＦＰ２を広く（粗く）することでフィンの表面積を小さくしている。また、流量の少ない冷却風が通過する第１排気領域７３ａに配置されたフィン４５１は、それぞれのフィンピッチＦＰ１を狭くしている。フィンピッチとは各フィン間の間隔である。因みに、図示例においてフィンピッチＦＰ１とＦＰ２との関係は、ＦＰ１＝ＦＰ２×１／２であることが好ましい。
【００４２】
上記のように流量の多い冷却風が通過する第２排気領域７３ｂにおいては、フィン４５２のフィンピッチＦＰ２を広くして通風抵抗を低減させ、第２放熱領域４５ｂを通過した冷却風を下流側に配置された冷却対象（第２冷却対象）の冷却に利用する。
【００４３】
一方、流量の少ない冷却風が通過する第１排気領域７３ａにおいては、フィン４５１のピッチを狭くすることで表面積を拡大して、温度定格の厳しいＤＭＤ素子４１（第１冷却対象）を固定するヒートシンク４３を冷却する。すなわち、ピッチが狭い第１放熱領域４５ａのフィン４５１においてヒートシンク４３の冷却を行い、ピッチが広い第２放熱領域４５ｂのフィン４５２において下流側の冷却対象の冷却を可能にする構成である。
【００４４】
次に、流量の多い冷却風が通過する第２排気領域７３ｂに、ピッチの広いフィン４５２を有する第２放熱領域４５ｂを配置し、第２放熱領域４５ｂから吐出された冷却風を下流側の冷却対象へ送る構成とした理由を説明する。
【００４５】
第１の理由は、ヒートシンク４３のみならずその下流側に配置された別の冷却対象（光源装置２０）へも十分な冷却風を送風して、ヒートシンク４３と別の冷却対象（光源装置２０）の両方を効率的に冷却するためである。
【００４６】
以下に、その点を具体的に説明する。
シロッコファン６０から吐出された冷却風は、冷却対象に至るまでの間、周囲との摩擦や抵抗などにより徐々に風速が減速してしまう。そのため、シロッコファン６０と冷却対象との距離が遠ければ遠いほど冷却能力が低下する。冷却風の風速が減速する最大の要因としては、ヒートシンク４３に備えられたフィン４５を通過する際の通風抵抗が挙げられる。
【００４７】
すなわち、フィンの表面積が大きい場合には、そのフィンを通過する際の通風抵抗が大きくなり、結果として冷却風の風速が減速してしまう。冷却風の風速とは、冷却性能に影響を及ぼすパラメータの1つであり、冷却風の風速の低下とは冷却性能の低下を意味する。したがって、表面積の大きいフィンを通過した冷却風は、風速が低下しているためヒートシンク４３よりも下流側に配置された別の冷却対象へ送った際、十分な冷却能力を発揮することは難しい。
【００４８】
一方、ヒートシンク４３自身の冷却には、フィンの表面積が大きい方が効果的である。以上により、ヒートシンク４３自身の冷却には、フィンの表面積を大きくすることが有効であるが、ヒートシンク４３よりも下流側に配置された別の冷却対象の冷却には、フィンの表面積を小さくすることが有効であり、上記の条件は相反する関係にある。
【００４９】
そこで、本発明ではフィン４５の表面積を一様にするのではなく、表面積の大きいフィン４５１と表面積の小さいフィン４５２を有するようにした。そして、流量の多い冷却風が通過する第２排気領域７３ｂ側に、冷却風の通風抵抗が少ない表面積の小さいフィン４５２を配置させ、第２放熱領域４５ｂから吐出される冷却風を下流側の冷却対象へ送る構成した。すると、シロッコファン６０から遠い下流側の冷却対象へ十分な速度を保持した冷却風を提供して、適切な冷却能力を発揮させることができる。
【００５０】
一方、流量の少ない冷却風が通過する第１排気領域７３ａ側に、冷却風の通風抵抗が大きい表面積の大きなフィン４５１を配置させることで、当該フィン４５１を有するヒートシンク４３自身を効果的に冷却することができる。
【００５１】
したがって、上記の構成とされた冷却装置５０は、ヒートシンク４３のみならずその下流側に配置された別の冷却対象（光源装置２０）へも十分な冷却風を送って、ヒートシンク４３と光源装置２０の両方を効率的に冷却できるのである。
【００５２】
次に、流量の多い冷却風が通過する第２排気領域７３ｂ側に、ピッチの広いフィン４５２を有する第２放熱領域４５ｂを配置する構成とした第２の理由を説明する。
【００５３】
第２の理由は、端的に云うとシロッコファン６０の本来有する冷却性能を低下させないことにある。
【００５４】
シロッコファン６０の冷却性能を低下させる要因としては、排気口７３を塞ぐように部材を配置して静圧を上昇させてしまうことにある。これは、ファンの静圧と風量の関係を示したＰ−Ｑ特性から明らかなように、静圧を表すＰの値が上昇すると、風量を表すＱの値が小さくなり冷却能力が低下してしまうからである。
【００５５】
よって、シロッコファン６０の排気口７３のうち風速の速い第２排気領域７３ｂに対向している第２放熱領域４５ｂのフィン４５２の表面積を大きくすることは、シロッコファン６０の風量低下を招き、結果としてファン本来が有する冷却性能を低下させてしまう。
【００５６】
したがって、冷却効率の観点から述べると、風速の速い第２排気領域７３ｂに関しては極力開口を塞ぎ難い構成が望ましく、ピッチの広いフィン４５２を有する第２放熱領域４５ｂを配置する構成が有効である。
【００５７】
上記理由から、流量の多い冷却風が通過する第２排気領域７３ｂ側に、ピッチの広いフィン４５２を有する第２放熱領域４５ｂを配置する構成を実施することで、シロッコファン６０の冷却性能を低下させずに、複数の冷却対象を効果的に冷却する効果が得られる。
【００５８】
因みに、本実施形態の冷却装置５０は、ヒートシンク４３の上面形状もっては冷却装置５０の外形を立方体形状としている。そのため、冷却装置５０のフィン４５１、４５２のピッチを変えて冷却のバランスを調整する際、シロッコファン６０を保持するブラケットや連結用ダクト（８０）、光源装置２０の部品や位置など冷却装置５０を取り巻く周辺部品の設計変更やレイアウト変更の必要がない。
【００５９】
＜冷却構造＞
次に、本発明に係る冷却構造を説明する。図１３に本実施形態の冷却装置５０を備えた冷却構造の全体斜視図を示した。特に冷却装置５０の空気の流路の下流側に第２冷却対象として光源装置２０を配置した例を示した。
【００６０】
この冷却構造は、図１３に示されるように、強制空冷用の冷却源であるシロッコファン６０とヒートシンク４３と、第２冷却対象である光源装置２０を直線状に並べ、フィン４５２が配置される第２放熱領域４５ｂの直線上に光源装置２０の冷却用のダクト２５を連結する構成とする。このような構造とすることで、風量を損なうことなく第２放熱領域４５ｂを通過した冷却風が、上記ダクト２５内に入り、光源装置２０を冷却することに利用できる。一方で、ピッチの狭いフィン４５１の第１放熱領域４５ａでは、上記したようにヒートシンク４３の冷却が効率的に行われている。
【００６１】
よって、本実施形態の冷却構造は、ヒートシンク４３（ＤＭＤ素子４１）と光源装置２０の２つの部品の冷却を、１つのシロッコファン６０で効率的に行うことができる。
【００６２】
因みに、光源装置２０を冷却しなければならない理由として、ランプ交換時の火傷防止が挙げられる。ランプ交換時には、使用者が光源装置２０の底面部分に触れるため、光源装置２０の特に下部を冷却する必要がある。
【００６３】
なお、第２放熱領域４５ｂを通過した後の冷却風を、より損失なく光源装置２０の冷却用のダクト２５へ導く方法として、以下の図１４に示すような連結用ダクト８０を新たに設けることが望ましい。図１５は連結用ダクト８０を連結した冷却構造を底面側から見た図を示した。
【００６４】
これはシロッコファン６０から排気された冷却風を漏れることなく光源装置２０へ流通させるためであり、連結用ダクト８０が有する導風機能によって更なる冷却効率の向上が期待できる。
【００６５】
即ち、連結用ダクト８０は、冷却風を流通させる流路８１を有しており、冷却風の流通方向に対する先端部８２が、光源装置２０のダクト２５と接続されている。冷却風の流通方向に対する基端部８３には、ヒートシンク４３のフィン４５が配置されている側面を挟持する接続部８４が設けられ、当該接続部８４により冷却装置５０と接続される。
【００６６】
前記連結用ダクト８０の流路８１は、第２放熱領域４５ｂの延長線上に設けられている。したがって、第２放熱領域４５ｂにおいて、ピッチが広く設計されたフィン４５２が速度の速い冷却風の風速を低減することなく下流側へ通風すると、連結用ダクト８０は、その冷却風を光源装置２０へ空気漏れさせることなく効果的に送ることができる。
【００６７】
因みに、流路８１の冷却風の流通方向と直交する幅は、第２放熱領域４５ｂより少し広く形成されて、第２放熱領域４５ｂからの冷却風を確実に流通できる構成とされている。
本実施形態の冷却装置５０は、上記したように第１の冷却対象はヒートシンク４３に取付けられたＤＭＤ素子４１である。したがって、シロッコファン６０の冷却風はヒートシンク４３へも十分に当てられるべきである。
【００６８】
上記の点を鑑みて、連結用ダクト８０の接続部８４には、第１放熱領域４５ａの排気側近傍に当該第１放熱領域４５ａから排気された冷却風を衝突させる衝突壁８４ａが設けられている。この衝突壁８４ａにより、第１放熱領域４５ａに配置されたフィン４５１の先端まで十分に冷却風が行き渡ることを期待できる。
【００６９】
即ち、一般に、フィン４５を通過する冷却風はフィン４５の入り口側ほど風速が速く、出口に向かうにつれて風速が低下する傾向がある。そのため、フィン４５の出口側（排気側とも云う）ほど冷却能力が低くなっている。そこで、第１放熱領域４５ａに配置されたフィン４５１の排気側近傍に衝突壁８４ａを設けると、シロッコファン６０から排気された冷却風は、第１放熱領域４５ａのフィン４５１を通過後、衝突壁８４ａに衝突する。その際、冷却風の流れは層流から乱流となり、フィン４５１の出口付近で空気が掻き回されるので、フィン４５１の排気側でもフィン先端まで空気を十分に行き渡らせることができる。
【００７０】
とは言え、第１放熱領域４５ａの排気側付近の全面を衝突壁８４ａで覆うと静圧が上昇してファン本来が有する風量特性を発揮できなくなる虞がある。したがって、衝突壁８４ａの流路８１に繋がる連結部をゆるやかなＲ形状に形成して、第１放熱領域４５ａを通過した冷却風を流路８１へ導風（矢印Ｑ）することにより、ファンの静圧上昇を防止する。のみならず第１放熱領域４５ａを通過した冷却風を光源装置２０（第２冷却対象）の冷却風にも利用できる。
【００７１】
上記してきたように本実施形態の冷却構造は、ヒートシンク４３（放熱体に相当）のみならずその下流側に配置された別の冷却対象（光源装置２０）へも十分な冷却風を流通させて、ヒートシンク４３と光源装置２０の両方を効率的に冷却可能である。また、冷却装置５０のフィン４５１、４５２のピッチを変えて冷却のバランスを調整する際、シロッコファン６０を保持するブラケットや連結用ダクト８０、光源装置２０の部品や位置など冷却装置５０を取り巻く周辺部品の設計変更やレイアウト変更の必要がない。
【００７２】
［第２の実施形態］
＜冷却装置＞
次に、第２の実施形態に係る冷却装置５０Ｂを図１６、図１７に基づいて説明する。図１６は、冷却装置５０の全体構成を示す上方斜視図であり、図１７は冷却装置５０Ｂの底面図である。
第２の実施形態は、基本的に第１の実施形態で説明したと同様の構成であるため、相違点のみ説明する。
【００７３】
第１の実施形態との相違点は、フィン４５Ｂにおいて第１放熱領域４５ａに配置されたフィン４５１Ｂと、第２放熱領域４５ｂに配置されたフィン４５２Ｂの長さを異ならせることで、それぞれの領域におけるフィンの表面積を変化させた点にある。
【００７４】
つまり、本実施形態のヒートシンク４３Ｂは、フィン４５１Ｂとフィン４５２Ｂの長さの変化により、表面積の大きな（ヒートシンク４３への放熱効率の高い）第１放熱領域４５ａと、表面積の小さな（＝通風抵抗の小さな）第２放熱領域４５ｂの２箇所を形成している。
【００７５】
具体的には、図１７に示すように、流量の大きい第２排気領域７３ｂに対向配置された、ヒートシンク４３Ｂの第２放熱領域４５ｂのフィン４５２Ｂの長さを、第１放熱領域４５ａのフィン４５１Ｂより短くしてフィンの表面積を小さくする。
【００７６】
上記のように流量の多い冷却風が通過する第２排気領域７３ｂに配置されるフィン４５２Ｂの表面積を小さくすることで、通風抵抗が低減されて冷却風の抜けが良くなり、ヒートシンク４３Ｂの下流側にある別の冷却対象へ十分に冷却風を送ることができる。
【００７７】
また、流量の少ない冷却風が通過する第１排気領域７３ａに対向配置された、第１放熱領域４５ａのフィン４５１Ｂの長さは、上記フィン４５２Ｂより約２倍長い。因みにフィンピッチは同じであり長さのみが相違する構成であり、第１放熱領域４５ａと第２放熱領域４５ｂの表面積の変化量は第１の実施形態と等しい。
【００７８】
上記のように流量の少ない冷却風が通過する第１排気領域７３ａのフィン４５１Ｂの表面積を大きくすることにより、ヒートシンク４３を効果的に冷却できる。
【００７９】
本実施形態では、フィン４５２Ｂとフィン４５１Ｂの長さが異なっているが、ヒートシンク４３の上面の端辺は直線状に揃っており、その上面形状や冷却装置５０のサイズ（外形）は第１の実施形態と全く変化していない。
上記のように形状を変化させないため、フィン４５２Ｂの長さが短い部分には上壁４５２１Ｂ（図１７斜線部）が形成されている。因みにこの上壁４５２１Ｂは、冷却風の漏れ防止としての機能を発揮できる。
【００８０】
なお、第２放熱領域４５ｂに配置されるフィン４５２Ｂのうち一番外側（側面側）に位置する１本の端部フィン４５２０Ｂは、第１放熱領域４５ａに配置されたフィン４５１Ｂと同じ長さを有している。これは、端部フィン４５２０Ｂにより、第２放熱領域４５ｂから排気された冷却風の流れを乱さず、光源装置２０へ導風する導風路として活用するためである。また、後述する冷却構造において、光源装置２０と接続する連結用ダクト８０の流路８１に至るまで冷却風の漏れを防止する機能も発揮できる。
【００８１】
本実施形態の冷却装置５０Ｂは、第１の実施形態とフィン４５２Ｂとフィン４５１Ｂの長さとフィンピッチにおいて違いがある。しかし、シロッコファン６０の冷却性能を低下させることなく、ヒートシンク４３のみならずその下流側に配置された別の冷却対象（光源装置２０）へも十分な冷却風を送って、シートシンクと下流側の冷却対象の両方を効果的に冷却できる効果を発揮する。
【００８２】
また、ヒートシンク４３Ｂの上面形状もっては冷却装置５０Ｂの外形が第１の実施形態と変わらない。したがって、良好な冷却バランスに調整したヒートシンクを、シロッコファン６０を保持するブラケットやヒートシンクを取り巻く周辺部品の設計変更を行うことなく交換できる。のみならず冷却装置を取り巻く周辺部品（周辺装置）のレイアウト変更や設計変更の必要も最小限にできる。
【００８３】
更に、本実施形態では表面積を変更するパラメータとしてフィンの長さを変更したが、この変更であれば金型共通で二次加工の変更もしくは金型の入れ子変更で対応できるため、少額のコスト変動で流用可能である。
【００８４】
＜冷却構造＞
次に、第２の実施形態に係る冷却装置５０Ｂを使用した冷却構造の一例を図１８に示した。図１８は冷却構造の底面図である。上方斜視図は図１４と全く同じになるため図示することは省略した。
【００８５】
本実施形態の冷却構造も第１の実施形態の冷却構造と略同じであり、冷却装置５０Ｂ、連結用ダクト８０、光源装置２０が直線状に配置されて構成される。したがって重複する説明は省略する。
【００８６】
因みに、上方斜視図が図１４と同じになる理由は、ヒートシンク４３Ｂのフィン４５１Ｂと、４５２Ｂの長さを異ならせても、ヒートシンク４３Ｂの上面形状及び冷却装置５０Ｂの外形が保持されているためである。
【００８７】
第２の実施形態に係る冷却装置５０Ｂを使用した冷却構造は、冷却装置５０Ｂのフィン４５２（Ｂ）の長さが第１の実施形態とは相違するが、その表面積の変化量は等しい。そのため、空気の流れは第１の実施形態と差がなく、第２放熱領域４５ｂから排気された冷却風は、効率よく光源装置２０へ送られ冷却される。
つまり、本実施形態の冷却構造も、ヒートシンク４３Ｂ（放熱体に相当）のみならずその下流側に配置された別の冷却対象（光源装置２０）へも十分な冷却風が流通されて、ヒートシンク４３Ｂと光源装置２０の両方を効率的に冷却できる。
また、フィン４５２Ｂの形状を変えることで冷却のバランスを変化させたとしても、シロッコファン６０を保持するブラケットや連結用ダクト８０、光源装置２０の部品や位置など冷却装置５０Ｂを取り巻く周辺部品の設計変更やレイアウト変更を行う必要がない。
【００８８】
［第３の実施形態］
＜冷却装置＞
次に、第３の実施形態に係る冷却装置５０Ｃを図１９〜図２１に基づいて説明する。図１９は、冷却装置５０Ｃの全体構成を示す上方斜視図であり、図２０は冷却装置５０Ｃの底面図である。図２１は、フィン４５２Ｃの形状を模式的に示す側面図である。
第３の実施形態も基本的に第１の実施形態で説明したと同様の構成であるため、相違点のみ説明する。
【００８９】
第１の実施形態との相違点は、フィン４５Ｃにおいて第２放熱領域４５ｂに配置されるフィン４５２Ｃの形状（縦断面）を、第１放熱領域４５ａに配置されたフィン４５１Ｃと変えて表面積を小さくさせた点にある。因みに、フィン４５１Ｃは、第１、第２の実施形態と同じ形状と高さを有して表面積を大きくしている。つまり、本実施形態のヒートシンク４３Ｃは、フィン４５１Ｃの形状をフィン４５２Ｃの形状（断面形状）と異ならせることで、表面積の大きな（ヒートシンク４３への放熱効率の高い）第１放熱領域４５ａと、表面積の小さな（＝通風抵抗の小さな）第２放熱領域４５ｂの２箇所を形成しているのである。
【００９０】
このように、流量の多い冷却風が通過する第２放熱領域４５ｂのフィン４５２Ｃの表面積を小さくすることで、通風抵抗が低減されて冷却風の抜けが良くなり、ヒートシンク４３Ｂの下流側にある別の冷却対象（光源装置２０）へ十分に冷却風を送ることができる。因みに、第１放熱領域４５ａと第２放熱領域４５ｂの表面積の変化量は第１の実施形態と等しい。
【００９１】
具体的にフィン４５２Ｃの断面（縦断面）は、図２１の模式側面図に示すように、下方に向かって狭窄する形状に形成されている。図示例では、フィン４５２Ｃのシロッコファン６０側の面は垂直に起立しており、他側面が下方に向かって内側に約４５°傾斜する形状とされている。特にシロッコファン６０側の面が傾斜せず起立した形状とされているため、当該シロッコファン６０を良好に配置できると共に、無駄な隙間を空けて放熱効果を損失させることを防止できる。また、他側面が下方内向きに傾斜する形状とされているので、表面積を小さく（通風抵抗を低減）しつつも、ヒートシンク４３Ｃの上面形状が第１の実施形態と変わらない構成にできる。つまり、ヒートシンク４３Ｃの上面の端辺が直線状に揃う形状を保持できる。
【００９２】
また、流量の少ない冷却風が通過する第１排気領域７３ａのフィン４５１Ｃの表面積は、第１、２の実施形態と同様に大きいため、ヒートシンク４３自身も効果的に冷却できる。
【００９３】
なお、第２放熱領域４５ｂに配置されるフィン４５２Ｃのうち一番外側（側面側）に位置する１本の端部フィン４５２０Ｃは、第１放熱領域４５ａに配置されたフィン４５１Ｃと同じ長さと形状を有している。これは、端部フィン４５２０Ｃにより、第２放熱領域４５ｂから排気された冷却風の流れを乱さず、光源装置２０へ導風する導風路として活用するためである。また、後述する冷却構造において、光源装置２０と接続する連結用ダクト８０の流路８１に至るまで冷却風を漏れなく（損失無く）流通させることができる。
【００９４】
本実施形態の冷却装置５０Ｃは、第１、第２の実施形態とフィン４５２（Ｃ）の形状が相違している。しかし、シロッコファン６０の冷却性能を低下させることなく、ヒートシンク４３のみならずその下流側に配置された別の冷却対象（光源装置２０）へも十分な冷却風を送って、シートシンクと下流側の冷却対象の両方を効果的に冷却できる効果を発揮する。
【００９５】
また、本実施形態では表面積を変更するパラメータとしてフィンの形状を変更したが、この変更であれば金型共通で二次加工の変更もしくは金型の入れ子変更で対応できるため、少額のコスト変動で流用可能である。
【００９６】
＜冷却構造＞
次に、第３の実施形態に係る冷却装置５０Ｃを使用した冷却構造の一例を図２２に示した。図２２は冷却構造の底面図である。上方斜視図は図１４と全く同じになるため図示することは省略した。
【００９７】
本実施形態の冷却構造も第１の実施形態の冷却構造と略同じであり、冷却装置５０Ｃ、連結用ダクト８０、光源装置２０が直線状に配置されて構成される。したがって、重複する説明は省略する。
【００９８】
因みに、上方斜視図が図１４と同じになる理由は、ヒートシンク４３Ｃのフィン４５１Ｃの形状を４５２Ｃの形状と異ならせても、ヒートシンク４３Ｃの上面形状及び冷却装置５０Ｃの外形が保持されているためである。
【００９９】
第３の実施形態に係る冷却装置５０Ｃを使用した冷却構造は、冷却装置５０Ｃのフィン４５２（Ｃ）の形状が第１、第２の実施形態とは相違するが、その表面積の変化量は等しい。そのため、空気の流れは上記した実施形態と差がなく、第２放熱領域４５ｂから排気された冷却風は、効率よく光源装置２０へ送られ冷却されるのである。
つまり、本実施形態の冷却構造も、ヒートシンク４３Ｃ（放熱体に相当）のみならずその下流側に配置された別の冷却対象（光源装置２０）へも十分な冷却風が流通されて、ヒートシンク４３Ｃと光源装置２０の両方を効率的に冷却できる。
【０１００】
また、フィン４５２Ｃの形状を変えることで冷却のバランスを変化させたとしても、シロッコファン６０を保持するブラケットや連結用ダクト８０、光源装置２０の部品や位置など冷却装置５０Ｃを取り巻く周辺部品の設計変更やレイアウト変更を行う必要がない。
【０１０１】
［第４の実施形態］
＜冷却装置＞
次に、第４の実施形態に係る冷却装置５０Ｄを図２３、図２４に基づいて説明する。図２３は、冷却装置５０Ｄの全体構成を示す上方斜視図であり、図２４は、図２３の冷却装置５０Ｄの冷却風の流通方向Ｔに対して正面から見た正面図である。
第４の実施形態も基本的に第１の実施形態で説明したと同様の構成であるため、相違点のみ説明する。
【０１０２】
第１の実施形態との相違点は、フィン４５Ｄにおいて第２放熱領域４５ｂに配置されるフィン４５２Ｄの高さを、第１放熱領域４５ａに配置されたフィン４５１Ｄに比して低くして表面積を小さくさせた点にある。因みに、フィン４５１Ｄは、第１〜第３の実施形態と同じ形状（縦断面）と高さを有して表面積を拡大している。つまり、本実施形態のヒートシンク４３Ｄは、フィン４５１Ｄの高さをフィン４５２Ｄの高さと異ならせることで、表面積の大きな（ヒートシンク４３Ｄへの放熱効率の高い）第１放熱領域４５ａと、表面積の小さな（＝通風抵抗の小さな）第２放熱領域４５ｂの２箇所を形成しているのである。
【０１０３】
このように、流量の多い冷却風が通過する第２放熱領域４５ｂのフィン４５２Ｄの表面積を小さくすることで、通風抵抗が低減されて冷却風の抜けが良くなり、ヒートシンク４３Ｂの下流側にある別の冷却対象（光源装置２０）へ十分に冷却風を送ることができる。第１放熱領域４５ａと第２放熱領域４５ｂの表面積の変化量は第１の実施形態と等しい。
【０１０４】
具体的には、図２４に示すように、第２排気領域７３ｂに対向配置された第２放熱領域４５ｂのフィン４５２Ｄの高さＨ２を、第１排気領域７３ａに対向配置された第１放熱領域４５ａのフィン４５１Ｄの高さＨ１より低く（Ｈ２＜Ｈ１）して表面積を小さくする。
【０１０５】
フィン４５１Ｄの高さＨ１は、第１〜第３の実施形態と同様の高さを有することでフィン４５２Ｄに比して表面積を拡大している。フィン４５２Ｄの高さＨ２は、ヒートシンク４３Ｄの上部からシロッコファン６０の排気口７３の第２排気領域７３ｂの上部位置までの高さに設計されている。つまり、第２排気領域７３ｂの対向側にはフィン４５２Ｄは殆ど存在せずに開口状態とされている。
【０１０６】
したがって、第２排気領域７３ｂの下方から排気される冷却風は、通風抵抗が無い状態でフィン４５２Ｄを通過するので、下流側に配置された冷却対象（第２冷却対象）へ十分な冷却風を送風して、冷却効率を飛躍的に向上できる。
【０１０７】
本実施形態では、フィン４５２Ｄの高さがフィン４５１Ｄの高さより低くなっているが、ヒートシンク４３Ｄの上面形状やサイズ自体は変化していない。つまり、ヒートシンク４３Ｄの上面の端辺が直線状に揃う形状を保持している。
【０１０８】
なお、第２放熱領域４５ｂに配置されるフィン４５２Ｄのうち一番外側（側面側）に位置する１本の端部フィン４５２０Ｄは、第１放熱領域４５ａに配置されたフィン４５１Ｄと同じ高さＨ１を有している。これは、端部フィン４５２０Ｄにより、第２放熱領域４５ｂから排気された冷却風の流れを乱さず、光源装置２０へ導風する導風路として活用するためである。また、後述する冷却構造において、光源装置２０と接続する連結用ダクト８０の流路８１に至るまで冷却風の漏れを防止する効果も期待できる。
【０１０９】
本実施形態の冷却装置５０Ｄは、第１の実施形態とフィン４５２（Ｄ）の高さが異なっている。しかし、シロッコファン６０の冷却性能を低下させることなく、ヒートシンク４３Ｄのみならずその下流側に配置された別の冷却対象（光源装置２０）へも十分な冷却風を送って、シートシンク４３Ｄと下流側の冷却対象の両方を効果的に冷却できる効果を発揮できる。
【０１１０】
また、本実施形態では表面積を変更するパラメータとしてフィンの形状を変更したが、この変更であれば金型共通で二次加工の変更もしくは金型の入れ子変更で対応できるため、少額のコスト変動で流用可能である。
【０１１１】
＜冷却構造＞
次に、第４の実施形態に係る冷却装置５０Ｄを使用した冷却構造の一例を図２５に示した。図２５は冷却構造の底面図である。上方斜視図は図１４と全く同じになるため図示することは省略した。
第４の実施形態に係る冷却装置５０Ｄを使用した冷却構造も、底面から見ると図１５と略同じであることが分かる。
【０１１２】
因みに、底面図と上方斜視図が図１４、図１５と同じになる理由は、ヒートシンク４３Ｄのフィン４５２Ｄの高さをフィン４５１Ｄの高さより低くしても、ヒートシンク４３Ｄの上面形状及び冷却装置５０Ｄの外形が保持されているためである。
【０１１３】
第４の実施形態に係る冷却装置５０Ｄを使用した冷却構造は、冷却装置５０Ｄのフィン４５２（Ｄ）の形状が第１〜第３の実施形態とは相違するが、その表面積の変化量は等しい。そのため、空気の流れは上記した実施形態と差がなく、第２放熱領域４５ｂから排気された冷却風は、効率よく光源装置２０へ送られ冷却されるのである。
【０１１４】
つまり、本実施形態の冷却構造も、ヒートシンク４３Ｄ（放熱体に相当）のみならずその下流側に配置された別の冷却対象（光源装置２０）へも十分な冷却風が流通されて、ヒートシンク４３Ｄと光源装置２０の両方を効率的に冷却できる。
また、フィン４５２Ｄの形状を変えることで冷却のバランスを変化させたとしても、シロッコファン６０を保持するブラケットや連結用ダクト８０、光源装置２０の部品や位置など冷却装置５０Ｄを取り巻く周辺部品の設計変更やレイアウト変更を行う必要がない。
【０１１５】
［第５の実施形態］
第５の実施形態として、上記してきた第１〜第４の実施形態で説明した何れかの１つの冷却装置５０（５０Ｂ〜５０Ｄ）を搭載した画像投射装置１を挙げる。
【０１１６】
画像投射装置１の具体的構成は図１〜図９などで説明してきたとおり、冷却装置５０の他、光源装置２０、ＤＭＤ素子４１（画像表示素子）、投射光学部３３、光学エンジン３０などを少なくとも有している。各構成については上記に説明したため省略する。
【０１１７】
また、画像投射装置１には、第１〜第４の実施形態で既に説明した何れかの１つの冷却装置５０が搭載されるため、説明することは省略する。また、冷却装置５０を使用した冷却構造も第１〜第４で説明したとおりであり説明は省略する。
【０１１８】
したがって、画像投射装置１の種類、大きさ、性能に合わせた冷却装置５０（冷却構造を含む）を搭載して、良好な画像投射機能を発揮できる。
【０１１９】
また、以上で示したヒートシンク、冷却装置、冷却構造は、画像投射装置以外にも、通常のＰＣや電子回路などの電子機器に対しても用いることができる。
【０１２０】
［第６の実施形態］
次に、第６の実施形態に係る冷却構造を図２６〜図２９に基づいて説明する。図２６は、冷却構造の全体構成を示す上方斜視図であり、図２７は冷却構造の全体構成を示す他の角度から見た上方斜視図である。図２８は、図２６、図２７の底面図である。
本実施形態の冷却構造は、第１〜第４の実施形態で説明した冷却構造とは異なる冷却構造を有する点を特徴としている。また、上記してきた第１〜第４の実施形態で説明した何れかの１つの冷却装置５０（５０Ｂ〜５０Ｄ）を搭載でき、図示例では第１の実施形態の冷却装置５０を搭載した例を示した。
【０１２１】
とはいえ第６の実施形態の冷却構造は、第１〜第４の実施形態で説明した冷却構造と略同様の技術的思想に基づいている。したがって、以下にその相違点を中心に説明する。
第６の実施形態の冷却構造は、特に第５の実施形態に示した画像投射装置１に実施されるものであり、吸気口６（図１参照）から流入した冷却風を光源装置２０の光源用ハウジング２２に設けられた光源吸気口２２ａへ流入させるライト冷却用ダクト９０（ダクト手段に相当）を有している。
【０１２２】
ライト冷却用ダクト９０は、基端部にシロッコファン９１（送風機に相当）を備えた本体部９２と、当該本体部９２と連結され先端部に排気口９３ａを備えた流路９３を有している。したがって、ライト冷却用ダクト９０は、シロッコファン９１により冷却風を排気口９３ａから光源用ハウジング２２の光源吸気口２２ａへ流入させる役割を果たす。またシロッコファン９１は、近傍付近に存在する、吸気口６から流入した空気などを吸気する機能を有している。
【０１２３】
因みに、本実施形態の冷却構造は、第１〜第４の実施形態の冷却構造で説明した、連結用ダクト８０Ｂを備えている（例えば図１４、図１５参照）。
【０１２４】
第１〜第４の実施形態の連結用ダクト８０は、シロッコファン６０から排気された冷却風の全てを漏れることなく光源装置２０へ流通させる目的がある。そのため、接続部８４の第１放熱領域４５ａの排気側付近に設けられた衝突壁８４ａは、流路８１に繋がる端部をゆるやかなＲ形状に形成して、第１放熱領域４５ａを通過した冷却風を流路８１へ導風する。
【０１２５】
しかし、本実施形態の冷却構造に使用される連結用ダクト８０Ｂは、第１放熱領域４５ａを通過した冷却風を、ライト冷却用ダクト９０を経由させて光源用ハウジング２２の光源吸気口２２ａへ流入させる手段を有している点が相違する。
即ち、連結用ダクト８０Ｂには、ヒートシンク４３のフィン４５が配置されている側面を挟持する接続部８４Ｂに、第１放熱領域４５ａを通過した冷却風を、ライト冷却用ダクト９０へ誘導する誘導手段８４０Ｂを備えている。
【０１２６】
誘導手段８４０Ｂは、接続部８４Ｂの第１放熱領域４５ａの排気側付近において上部が光源装置２０側に傾斜する傾斜部８４１Ｂと、傾斜部の両側側面と接続された側壁部８４２Ｂとを有している。したがって第１放熱領域４５ａを通過した冷却風は、誘導手段８４０Ｂにより前記ライト冷却用ダクト９０のシロッコファン９１の近傍付近に誘導される。
【０１２７】
すると、シロッコファン９１は、第１放熱領域４５ａのフィン４５１を通過し誘導された冷却風を吸気し、当該吸気した冷却風を、排気口９３ａから光源用ハウジング２２の光源吸気口２２ａへ流入させることができる。したがって、第１放熱領域４５ａのフィン４５１を通過した冷却風を、光源装置２０の内部に流入させる冷却風として利用することができる。因みに、このときシロッコファン９１は、当該シロッコファン９１の近傍位置に存在する吸気口６から流入した空気（冷却風）も共に吸気している。因みに、第２放熱領域４５ｂを通過した冷却風は、第１〜第４の実施形態と同様に連結用ダクト８０Ｂの流路８１を経て光源装置２０のダクト２５へと流通されている。
【０１２８】
次に、本実施形態の冷却構造における、光源装置２０に対する冷却風の流通経路について、第１〜第４実施形態との相違点を挙げつつ説明する。図２９に、本実施形態の冷却構造の光源装置へ流入させる冷却風の流通経路を示す一部断面透過図を示した。
上記した第１〜第４の実施形態で示した連結用ダクト８０は、シロッコファン６０から排気された冷却風の全てを流路８１により光源装置２０のダクト２５へ流通させて、光源装置２０を冷却する構成である。つまり、第１放熱領域４５ａを通過した冷却風と、第２放熱領域４５ｂを通過した冷却風とは、最終的にはダクト２５へ送られる。
【０１２９】
本実施形態の冷却構造は、第２放熱領域４５ｂを通過した冷却風は、第１〜第４の実施形態と同じく流路８１Ｂを経て光源装置２０のダクト２５へ流通される。一方、第１放熱領域４５ａを通過した冷却風は、連結用ダクト８０Ｂの誘導手段８４０Ｂに誘導されてライト冷却用ダクト９０内へ吸気され、光源装置２０の光源用ハウジング２２の光源吸気口２２ａへ流入される。流入された冷却風は、光源装置２０の内部を通って、光源吸気口２２ａの反対側及び上面側に設けられた各光源排気口２２ｂから排気される。上面側に設けられた光源排気口２２ｂへ冷却風が流れ出るのは、光源装置２０の上方位置に設置されているファンの吸気力による。
【０１３０】
つまり、本実施形態の冷却構造は、第１放熱領域４５ａを通過した冷却風と、第２放熱領域４５ｂを通過した冷却風とが、それぞれ送られる箇所が異なっている。
基本的に、第２放熱領域４５ｂを通過しダクト２５へ送られた冷却風（矢印Ｓ）は、光源ハウジング２２の下方位置を通過し、光源装置２０のリフレクタ２１ｂ、シール部２１ｃなどの外周面へ誘導されて、光源装置２０を外側から冷却するために利用できる。
【０１３１】
一方、第１放熱領域４５ａを通過した冷却風（矢印Ｒ）は、ライト冷却用ダクト９０を経て光源用ハウジング２２の光源吸気口２２ａへ送られ、リフレクタ２１ｂの内側面を通り、光源２１ａにあたり、光源排気口２２ｂへ送られる。したがって、冷却風Ｒは光源装置２０の光源２１ａを直接冷却するために利用できる。
【０１３２】
ライト冷却用ダクト９０へ吸気される第１放熱領域４５ａを通過してきた冷却風の温度は、ヒートシンク４３の定格温度から考えて６０℃程度である。一方、光源２１ｂの温度は１０００℃以上あるため、第１放熱領域４５ａを通過してきた冷却風を光源２１ｂの冷却に十分に利用することが可能である。
【０１３３】
因みに、シロッコファン９１は、第１放熱領域４５ａを通過した冷却風を吸気して送風する所謂プッシュ・プルの機能を発揮するため、第１放熱領域４５ａを通過する冷却風は、第１〜第４の実施形態の冷却構造よりも風速が格段に増す。したがって、第１〜第４の実施形態の冷却構造に比してヒートシンク４３への冷却能力を飛躍的に向上できる利点がある。
【０１３４】
上記してきたように本実施形態の冷却構造は、第１放熱領域４５ａを通過した冷却風と、第２放熱領域４５ｂを通過した冷却風とを、それぞれ異なる箇所へ送る構成とした。特に、第１放熱領域４５ａを通過した冷却風を、光源装置２０の熱を発する光源２１ａへ直接送ることができるので、従来に比してより効果的且つ効率的に光源装置２０を冷却できる。
【０１３５】
（変形例）
上記した第１〜第４の実施形態の冷却装置において、ヒートシンク４３は、いずれも段差部４６を設けてシロッコファン６０と一体化した構成であった。しかし、以下の構成の冷却装置５０'であっても良い。
【０１３６】
即ち、冷却装置を構成するヒートシンクは、この限りではなく、図３０に示したように段差部を設けない完全な直方体形状に形成されたヒートシンク４３０であっても良い。その他、第１放熱領域４５ａと第２放熱領域４５ｂを有するフィン４５０の長さ、高さ、形状などは第１〜第４の実施形態で説明したものが同様に実施可能である。図示した形状は第１の実施形態で説明したフィン４５を一例として示したに過ぎない。
【０１３７】
この変形例においても、ヒートシンク４３０の上面の端辺は直線状に揃う形状とされており、上面形状は矩形である。勿論隅部にはＲ加工が施されていても良い。
【０１３８】
また、シロッコファン６０も第１〜第４の実施形態で説明したものが同様に実施され、ヒートシンク４３０とは、図示しない連結部材により連結されて冷却装置５０'を構成することができる。
【０１３９】
この変形例は、上記したようにヒートシンク４３０自体が完全な直方体形状であるため、ヒートシンク４３０を取り巻く周辺部材の設計変更を行わずとも、色々な電子機器（装置）や場所に組み入れて使用することができるため、汎用性が高い。
【０１４０】
以上、図面を用いて本発明の実施形態を詳細に説明した。なお、上記の記載は、実施形態を理解するためのものであり、実施形態の範囲を限定するものではない。また、上記の複数の実施形態は、相互に排他的なものではない。したがって、矛盾が生じない限り、異なる実施形態の各要素を組み合わせることも意図しており、特許請求の範囲に記載された開示の技術の要旨の範囲内において、種々の変形、変更が可能である。
【符号の説明】
【０１４１】
１      画像投射装置
２      スクリーン
３      外装カバー
２０    光源装置
２１ａ  光源
２１ｂ  リフレクタ
２１ｃ  シール部
２２    光源ハウジング
２３    出射窓
２５    ダクト
３０    光学エンジン部
３１    照明光学部
３２    画像処理部
３３    投射光学部
３４    凹面ミラー
３５    シリンダミラー
３６    リレーレンズ
３７    ライトトンネル
３８    カラーホイル
４１    ＤＭＤ素子（画像表示素子）
４２    ＤＭＤプリント基板
４３    ヒートシンク（放熱体）
４４    固定板
４５    フィン
４５ａ  第１放熱領域
４５ｂ  第２放熱領域
４５１  （第１放熱領域のフィン）
４５２  （第２放熱領域のフィン）
４５１０  端部フィン
５０（５０Ｂ〜５０Ｄ、５０'）冷却装置
５１    投射レンズ
５３    ＯＦＦ光板
５４    折り返しミラー
５５    自由曲面ミラー
６０    シロッコファン（送風部）
７１    第１吸気口
７２    第２吸気口
７３    排気口
７３ａ  第１排気領域
７３ｂ  第２排気領域
８０    連結用ダクト
９０    ライト冷却用ダクト（ダクト手段）
【先行技術文献】
【特許文献】
【０１４２】
【特許文献１】特許第４１４４０３７号公報
【図２】
2016046471.tif 000003
【図３】
2016046471.tif 000004
【図４】
2016046471.tif 000005
【図５】
2016046471.tif 000006
【図６】
2016046471.tif 000007
【図７】
2016046471.tif 000008
【図８】
2016046471.tif 000009
【図９】
2016046471.tif 000010
【図１０】
2016046471.tif 000011
【図１１】
2016046471.tif 000012
【図１２】
2016046471.tif 000013
【図１３】
2016046471.tif 000014
【図１４】
2016046471.tif 000015
【図１５】
2016046471.tif 000016
【図１６】
2016046471.tif 000017
【図１７】
2016046471.tif 000018
【図１８】
2016046471.tif 000019
【図１９】
2016046471.tif 000020
【図２０】
2016046471.tif 000021
【図２１】
2016046471.tif 000022
【図２２】
2016046471.tif 000023
【図２３】
2016046471.tif 000024
【図２４】
2016046471.tif 000025
【図２５】
2016046471.tif 000026
【図２６】
2016046471.tif 000027
【図２７】
2016046471.tif 000028
【図２８】
2016046471.tif 000029
【図２９】
2016046471.tif 000030
【図３０】
2016046471.tif 000031
【図１】
2016046471.tif 000032